(57)【要約】【課題】通信品質や伝送レートの緻密な管理が可能とし、種々の状況に応じて好適な品質や伝送速度が維持されるような設定をなすことができるようにする。【解決手段】基地局２００は、担当エリア内に存在する携帯電話と複数のサブキャリアを利用したマルチキャリア通信を行う。基地局２００は、データの送信相手である携帯電話から送信される、当該携帯電話におけるサブキャリアごとの受信状況（受信電力値など）を取得し、伝送パラメータ決定設定部２０１がその受信状況に基づいてチャネル符号化部１１２が行うべき符号化処理の方式、フレーム作成部１２４が作成すべきフレームのフォーマットおよび変調部１１３が行うべき変調処理の方式を決定する。【選択図】      図２
2005020076.tif 000002
【特許請求の範囲】
【請求項１】
通信装置間で複数のサブキャリアを利用してデータを伝送するマルチキャリア無線通信を行う方法であって、
少なくとも一方の前記通信装置における複数の前記サブキャリアごとの受信状況を取得する受信状況取得ステップと、
前記受信状況取得ステップで取得された前記サブキャリアの各々の受信状況に基づいて、前記受信状況が取得された前記通信装置宛てに伝送するデータのチャネル符号化方式を前記サブキャリアごとに個別に決定する決定ステップと
を具備することを特徴とする通信方法。
【請求項２】
通信装置間で複数のサブキャリアを利用してデータを伝送するマルチキャリア無線通信を行う方法であって、
少なくとも一方の前記通信装置における複数の前記サブキャリアごとの受信状況を取得する受信状況取得ステップと、
前記受信状況取得ステップで取得された前記サブキャリアの各々の受信状況に基づいて、前記受信状況が取得された前記通信装置宛てに伝送するデータのフレームフォーマットを前記サブキャリアごとに個別に決定する決定ステップと
を具備することを特徴とする通信方法。
【請求項３】
通信装置間で複数のサブキャリアを利用してデータを伝送するマルチキャリア無線通信を行う方法であって、
少なくとも一方の前記通信装置における複数の前記サブキャリアごとの受信状況を取得する受信状況取得ステップと、
前記受信状況取得ステップで取得された前記サブキャリアの各々の受信状況に基づいて、前記受信状況が取得された前記通信装置宛てに伝送するデータのチャネル符号化方式、変調方式および伝送データのフレームフォーマットを前記サブキャリアごとに決定する決定ステップと
を具備することを特徴とする通信方法。
【請求項４】
前記受信状況取得ステップでは、受信データに対して誤り検出処理を行うことで得られる誤り状況を前記受信状況として取得する
ことを特徴とする請求項１に記載の通信方法。
【請求項５】
前記受信状況取得ステップでは、フェージングによる位相変動量を前記受信状況として取得する
ことを特徴とする請求項２に記載の通信方法。
【請求項６】
前記受信状況取得ステップでは、受信データに対して誤り検出処理を行うことで得られる誤り状況、フェージングによる位相変動量および受信電力を前記受信状況として取得し、
前記決定ステップでは、前記誤り状況に基づいてチャネル符号化方式を決定し、前記位相変動量に基づいてフレームフォーマットを決定し、前記受信電力に基づいて変調方式を決定する
ことを特徴とする請求項３に記載の通信方法。
【請求項７】
前記決定ステップでは、前記受信状況取得ステップで取得された受信状況に基づいて、予め用意されている複数種類のパターンであって、チャネル符号化方式、フレームフォーマットおよび変調方式の組み合わせからなる伝送パラメータパターンの中から１つの伝送パラメータパターンを前記サブキャリアごとに選択する
ことを特徴とする請求項３に記載の通信方法。
【請求項８】
前記決定ステップでは、前記受信状況が取得された前記通信装置にデータを送信する際に予め選択可能なものとして決められている複数のチャネル符号化方式、複数のフレームフォーマットおよび複数の変調方式の中から、１つのチャネル符号化方式、フレームフォーマットおよび変調方式を選択する
ことを特徴とする請求項３、６または７に記載の通信方法。
【請求項９】
前記受信状況取得ステップでは、実データを受信する時の前記通信装置の受信状況を取得する
ことを特徴とする請求項１ないし８のいずれかに記載の通信方法。
【請求項１０】
複数のサブキャリアを利用してデータを伝送するマルチキャリア無線送信を行う送信装置であって、
送信するデータに対してチャネル符号化処理を行う符号化手段と、
前記符号化手段が行うべき符号化処理の方式を前記サブキャリアごとに個別に設定する設定手段と
を具備することを特徴とする送信装置。
【請求項１１】
複数のサブキャリアを利用してデータを伝送するマルチキャリア無線送信を行う送信装置であって、
送信するデータにパイロットシンボルを付加してフレームを作成するフレーム作成手段と、
前記フレーム作成手段が作成すべきフレームのフォーマットを前記サブキャリアごとに個別に設定する設定手段と
を具備することを特徴とする送信装置。
【請求項１２】
複数のサブキャリアを利用してデータを伝送するマルチキャリア無線送信を行う送信装置であって、
送信するデータに対してチャネル符号化処理を行う符号化手段と、
送信するデータにパイロットシンボルを付加してフレームを作成するフレーム作成手段と、
送信するデータに対して変調処理を行う変調手段と、
前記符号化手段が行うべき符号化処理の方式、前記フレーム作成手段が作成すべきフレームのフォーマット、前記変調手段が行うべき変調処理の方式を前記サブキャリアごとに個別に設定する設定手段と
を具備することを特徴とする送信装置。
【請求項１３】
前記設定手段は、通信相手となる通信装置における前記サブキャリアごとの受信状況を取得し、取得した受信状況に基づいて前記サブキャリアごとに設定すべき前記チャネル符号化方式を決定する
ことを特徴とする請求項１０に記載の送信装置。
【請求項１４】
前記設定手段は、通信相手となる通信装置における前記サブキャリアごとの受信状況を取得し、取得した受信状況に基づいて前記サブキャリアごとに設定すべき前記フレームフォーマットを決定する
ことを特徴とする請求項１１に記載の送信装置。
【請求項１５】
前記設定手段は、通信相手となる通信装置における前記サブキャリアごとの受信状況を取得し、取得した受信状況に基づいて前記サブキャリアごとに設定すべき前記チャネル符号化方式、フレームフォーマットおよび変調方式を決定する
ことを特徴とする請求項１２に記載の送信装置。
【請求項１６】
前記設定手段は、予め用意されている複数種類のパターンであって、チャネル符号化方式、フレームフォーマットおよび変調方式の組み合わせからなる伝送パラメータパターンの中から１つの伝送パラメータパターンを前記サブキャリアごとに選択する
ことを特徴とする請求項１５に記載の送信装置。
【請求項１７】
前記設定手段は、前記受信状況が取得された前記通信装置に対応つけて予め選択可能なものとして決められている複数のチャネル符号化方式、複数のフレームフォーマットおよび複数の変調方式の中から、１つのチャネル符号化方式、フレームフォーマットおよび変調方式を選択する
ことを特徴とする請求項１５に記載の送信装置。
【請求項１８】
前記設定手段は、前記サブキャリアごとの受信データに対して誤り検出処理を行うことで得られる誤り状況を前記受信状況として取得する
ことを特徴とする請求項１３に記載の送信装置。
【請求項１９】
前記設定手段は、前記サブキャリアごとのフェージングによる位相変動量を前記受信状況として取得する
ことを特徴とする請求項１４に記載の送信装置。
【請求項２０】
前記設定手段は、前記サブキャリアごとの受信データに対して誤り検出処理を行うことで得られる誤り状況、前記サブキャリアごとのフェージングによる位相変動量および前記サブキャリアごとの受信電力を前記受信状況として取得し、前記誤り状況に基づいて前記チャネル符号化方式を決定し、前記位相変動量に基づいて前記フレームフォーマットを決定し、前記受信電力に基づいて前記変調方式を決定する
ことを特徴とする請求項１５に記載の送信装置。
【請求項２１】
前記設定手段による設定内容を通信相手となる通信装置に通知する通知手段をさらに具備する
ことを特徴とする請求項１０ないし２０のいずれかに記載の送信装置。
【請求項２２】
前記設定手段は、通信相手となる通信装置から通知された内容にしたがって設定を行う
ことを特徴とする請求項１０ないし１３のいずれかに記載の送信装置。
【請求項２３】
複数のサブキャリアを利用してマルチキャリア無線送信されるデータを受信する受信装置であって、
受信したデータに対してチャネル復号化処理を行う復号化手段と、
前記復号化手段が行うべき復号化処理の方式を前記サブキャリアごとに個別に設定する設定手段と
を具備することを特徴とする受信装置。
【請求項２４】
複数のサブキャリアを利用してマルチキャリア無線送信されるデータを受信する受信装置であって、
受信したデータに付加されているパイロットシンボルを用いて伝送路を推定する伝送路推定手段と、
前記パイロットシンボルの前記受信データ中の挿入位置情報を前記サブキャリアごとに個別に設定する設定手段とを具備し、
前記伝送路推定手段は、前記設定手段によって設定された挿入位置情報にしたがって受信データからパイロットシンボルを抽出し、伝送路を推定する
ことを特徴とする受信装置。
【請求項２５】
複数のサブキャリアを利用してマルチキャリア無線送信されるデータを受信する受信装置であって、
受信したデータに対してチャネル復号化処理を行う復号化手段と、
受信したデータに付加されているパイロットシンボルを用いて伝送路を推定する伝送路推定手段と、
受信したデータに対して復調処理を行う復調手段と、
前記復号化手段が行うべき復号化処理の方式、前記パイロットシンボルの受信データ中の挿入位置情報、前記復調手段が行うべき復調処理の方式を前記サブキャリアごとに個別に設定する設定手段とを具備し、
前記伝送路推定手段は、前記設定手段によって設定された挿入位置情報にしたがって受信データからパイロットシンボルを抽出し、伝送路を推定する
ことを特徴とする受信装置。
【請求項２６】
マルチキャリア無線送信されるデータの受信状況を取得する取得手段をさらに具備し、
前記設定手段は、前記取得手段によって取得された受信状況に基づいて設定を行う
ことを特徴とする請求項２３ないし２５のいずれかに記載の受信装置。
【請求項２７】
マルチキャリア無線送信されるデータの受信状況を取得する取得手段と、
前記取得手段によって取得された受信状況を通信相手となる通信装置に送信する状況送信手段とをさらに具備し、
前記設定手段は、前記通信相手となる通信装置から通知された通知内容に基づいて設定を行う
ことを特徴とする請求項２３ないし２５のいずれかに記載の受信装置。
【発明の詳細な説明】
【０００１】
【発明の属する技術分野】
この発明は、複数のサブキャリアを利用したマルチキャリア無線通信を行う通信方法、送信装置および受信装置に関する。
【０００２】
【従来の技術】
従来より、無線通信の方式としてマルチキャリア無線通信方式が知られている。マルチキャリア無線通信方式は、データを周波数の異なる複数のサブキャリアに分けて伝送する通信方式であり、かかる通信方式では各サブキャリアの帯域が狭帯域となるので、周波数選択性フェージングの影響を受けにくくなるというメリットがある。
【０００３】
このようなマルチキャリア無線通信方式としては、各サブキャリアを利用して伝送するデータの変調方式は同一であることが一般的である。そして、通信状況などに応じて変調方式を変更する適応変調方式を採用する技術においても、各サブキャリアで伝送されるデータはすべて変更後の１つの変調方式により変調されるようになっているのが一般的である。
【０００４】
また、各サブキャリアごとの伝送路状況を把握し、把握した伝送路状況に応じて各サブキャリアを利用して伝送するデータの変調方式を個別に決定するといった技術も提案されている（例えば、特許文献１参照）。
【０００５】
【特許文献１】
特開平１０−２４７９５５号公報
【０００６】
【発明が解決しようとする課題】
しかしながら、上述したような各サブキャリアを利用して伝送するデータの変調方式が同一である一般的なマルチキャリア無線通信方式では、通信状況が悪化した場合にはすべてのサブキャリアを利用するデータ伝送に悪影響を及ぼすおそれがあり、高品質の通信を維持することが困難である。
【０００７】
また、上記のようにサブキャリアごとの伝送路状況に応じて各サブキャリアごとに変調方式を異ならせる方法でも、変調方式を個別設定することで各サブキャリアによる伝送レートを変更することはできても、通信状況の悪化に対して積極的かつ緻密な対応をすることができない。つまり、通信状況が悪化しているキャリアについては伝送レートを小さくすることで、品質を維持しようとしているのであるが、積極的に誤り率等を減少させるよう制御するものではなく、通信品質を正確に管理できているとはいえない。
【０００８】
この発明は上記に鑑みてなされたもので、通信品質や伝送レートの緻密な管理が可能とし、種々の状況に応じて好適な品質や伝送速度が維持されるような設定をなすことができる通信方法、送信装置および受信装置を得ることを目的とする。
【０００９】
【課題を解決するための手段】
上記目的を達成するため、本発明は、通信装置間で複数のサブキャリアを利用してデータを伝送するマルチキャリア無線通信を行う方法であって、少なくとも一方の前記通信装置における複数の前記サブキャリアごとの受信状況を取得する受信状況取得ステップと、前記受信状況取得ステップで取得された前記サブキャリアの各々の受信状況に基づいて、前記受信状況が取得された前記通信装置宛てに伝送するデータのチャネル符号化方式を前記サブキャリアごとに個別に決定する決定ステップとを具備することを特徴とする通信方法である。
【００１０】
また、本発明の別の態様は、通信装置間で複数のサブキャリアを利用してデータを伝送するマルチキャリア無線通信を行う方法であって、少なくとも一方の前記通信装置における複数の前記サブキャリアごとの受信状況を取得する受信状況取得ステップと、前記受信状況取得ステップで取得された前記サブキャリアの各々の受信状況に基づいて、前記受信状況が取得された前記通信装置宛てに伝送するデータのフレームフォーマットを前記サブキャリアごとに個別に決定する決定ステップとを具備することを特徴とする通信方法である。
【００１１】
また、本発明の別の態様は、通信装置間で複数のサブキャリアを利用してデータを伝送するマルチキャリア無線通信を行う方法であって、少なくとも一方の前記通信装置における複数の前記サブキャリアごとの受信状況を取得する受信状況取得ステップと、前記受信状況取得ステップで取得された前記サブキャリアの各々の受信状況に基づいて、前記受信状況が取得された前記通信装置宛てに伝送するデータのチャネル符号化方式、変調方式および伝送データのフレームフォーマットを前記サブキャリアごとに決定する決定ステップとを具備することを特徴とする通信方法である。
【００１２】
また、本発明の別の態様は、複数のサブキャリアを利用してデータを伝送するマルチキャリア無線送信を行う送信装置であって、送信するデータに対してチャネル符号化処理を行う符号化手段と、前記符号化手段が行うべき符号化処理の方式を前記サブキャリアごとに個別に設定する設定手段とを具備することを特徴とする送信装置である。
【００１３】
また、本発明の別の態様は、複数のサブキャリアを利用してデータを伝送するマルチキャリア無線送信を行う送信装置であって、送信するデータにパイロットシンボルを付加してフレームを作成するフレーム作成手段と、前記フレーム作成手段が作成すべきフレームのフォーマットを前記サブキャリアごとに個別に設定する設定手段とを具備することを特徴とする送信装置である。
【００１４】
また、本発明の別の態様は、複数のサブキャリアを利用してデータを伝送するマルチキャリア無線送信を行う送信装置であって、送信するデータに対してチャネル符号化処理を行う符号化手段と、送信するデータにパイロットシンボルを付加してフレームを作成するフレーム作成手段と、送信するデータに対して変調処理を行う変調手段と、前記符号化手段が行うべき符号化処理の方式、前記フレーム作成手段が作成すべきフレームのフォーマット、前記変調手段が行うべき変調処理の方式を前記サブキャリアごとに個別に設定する設定手段とを具備することを特徴とする送信装置である。
【００１５】
また、本発明の別の態様は、複数のサブキャリアを利用してマルチキャリア無線送信されるデータを受信する受信装置であって、受信したデータに対してチャネル復号化処理を行う復号化手段と、前記復号化手段が行うべき復号化処理の方式を前記サブキャリアごとに個別に設定する設定手段とを具備することを特徴とする受信装置である。
【００１６】
また、本発明の別の態様は、複数のサブキャリアを利用してマルチキャリア無線送信されるデータを受信する受信装置であって、受信したデータに付加されているパイロットシンボルを用いて伝送路を推定する伝送路推定手段と、前記パイロットシンボルの前記受信データ中の挿入位置情報を前記サブキャリアごとに個別に設定する設定手段とを具備し、前記伝送路推定手段は、前記設定手段によって設定された挿入位置情報にしたがって受信データからパイロットシンボルを抽出し、伝送路を推定することを特徴とする受信装置である。
【００１７】
また、本発明の別の態様は、複数のサブキャリアを利用してマルチキャリア無線送信されるデータを受信する受信装置であって、受信したデータに対してチャネル復号化処理を行う復号化手段と、受信したデータに付加されているパイロットシンボルを用いて伝送路を推定する伝送路推定手段と、受信したデータに対して復調処理を行う復調手段と、前記復号化手段が行うべき復号化処理の方式、前記パイロットシンボルの受信データ中の挿入位置情報、前記復調手段が行うべき復調処理の方式を前記サブキャリアごとに個別に設定する設定手段とを具備し、前記伝送路推定手段は、前記設定手段によって設定された挿入位置情報にしたがって受信データからパイロットシンボルを抽出し、伝送路を推定することを特徴とする受信装置である。
【００１８】
【発明の実施の形態】
以下に添付図面を参照して、この発明にかかる通信方法、送信装置および受信装置の好適な実施の形態を詳細に説明する。
【００１９】
Ａ．通信装置
Ａ−１．携帯電話
図１は、本発明の一実施形態にかかる通信方法を実施する一方の通信装置である携帯電話１００の通信部の構成を示すブロック図であり、図２は当該携帯電話１００と通信を行う他方の通信装置である基地局２００の通信部の構成を示すブロック図である。図１および図２に示すように、本実施形態にかかる通信方法を実施する通信装置である携帯電話１００および基地局２００は共に複数のサブキャリアを利用してデータを伝送するマルチキャリア無線通信を行うための共通の構成を有している。したがって、まず携帯電話１００の構成について説明し、その後基地局２００の構成については相違する部分のみを説明することとする。
【００２０】
図１に示すように、携帯電話１００は、マルチキャリア無線送信装置および受信装置としての機能を備えており、直並列変換部１１０と、送受信処理ブロック１０１と、キャリア合成部１１４と、アンテナ共用器１１５と、分配器１１６と、並直列変換部１２１と、伝送パラメータ設定部１２２と、受信状況取得通知部１２３とを備えている。
【００２１】
直並列変換部１１０は、通信相手となる通信装置（基地局２００）に送信すべきデータ（例えば無線電話サービスを利用する場合には図示せぬマイクロホンから入力された音声データ、制御データなど）のまとまりを、送受信処理ブロック１０１に対応する数のデータのまとまりに分割し、分割したデータを各々の送受信処理ブロック１０１に出力する。
【００２２】
送受信処理ブロック１０１は、当該携帯電話１００がデータ伝送に利用するサブキャリアの数に応じた分だけ設けられている。すなわち、データ伝送に利用する複数のサブキャリアの各々に対応して送受信処理ブロック１０１が設けられている。
【００２３】
送受信処理ブロック１０１は、送信処理ブロックを構成するチャネル符号化部１１２、フレーム作成部１２４および変調部１１３と、受信処理ブロックを構成する復調部１１７、伝送路推定部１１８、伝送路歪補償部１１９およびチャネル復号化部１２０とを備えている。
【００２４】
チャネル符号化部１１２は、直並列変換部１１０によって分割された送信すべきデータに対して符号化処理を行う。本実施形態におけるチャネル符号化部１１２は、伝送パラメータ設定部１２２によって設定された符号化方式にしたがった符号化処理を行い、符号化データをフレーム作成部１２４に出力する。例えば、設定された符号化方式の内容が畳み込み符号（Ｒ＝１／３）、ブロック符号、インタリーブといった符号化の組み合わせであれば、直並列変換部１１０から供給されたデータに対し、畳み込み符号化（Ｒ＝１／３）、ブロック符号化およびインタリーブ処理を施して出力する。
【００２５】
フレーム作成部１２４は、チャネル符号化部１１２から出力される符号化データに伝送路推定のためのパイロットシンボルを挿入付加し、フレームデータを作成して変調部１１３に出力する。本実施形態におけるフレーム作成部１２４は、伝送パラメータ設定部１２２によって設定されたフレームフォーマットにしたがってパイロットシンボルの挿入位置（挿入周期およびデータ量）を決める。つまり、フレーム作成部１２４は、伝送パラメータ設定部１２２によって設定されたフレームフォーマットに順ずるフレームデータを作成する。
【００２６】
変調部１１３は、フレーム作成部１２４によって作成されたフレームデータに対してデジタル／アナログ変調処理を行い、変調後のデータをキャリア合成部１１４に出力する。本実施形態における変調部１１３は、伝送パラメータ設定部１２２によって設定された変調方式にしたがった変調処理を行う。例えば、設定された変調方式がＱＰＳＫ（Ｑｕａｄｒａｔｕｒｅ  Ｐｈａｓｅ  Ｓｈｉｆｔ  Ｋｅｙｉｎｇ）であればＱＰＳＫ変調を行い、設定された変調方式が１６ＱＡＭ（Ｑｕａｄｒａｔｕｒｅ  Ａｍｐｌｉｔｕｄｅ  Ｍｏｄｕｌａｔｉｏｎ）であれば１６ＱＡＭ変調を行う。
【００２７】
キャリア合成部１１４は、複数の送受信処理ブロック１０１の変調部１１３から出力される変調データを合成し、アンテナ共用器１１５に出力する。アンテナ共用器１１５は、キャリア合成部１１４によって合成されたデータを無線送信し、かかる送信データが基地局２００（図２参照）に受信されることで携帯電話１００から基地局２００へのデータ送信がなされる。
【００２８】
また、アンテナ共用器１１５は、基地局２００から無線送信されるデータを受信し、これを分配器１１６に出力する。分配器１１６は、アンテナ共用器１１５から供給される受信データを各送受信処理ブロック１０１に分配出力する。
【００２９】
分配器１１６から各送受信処理ブロック１０１に供給された受信データは、各送受信処理ブロック１０１の復調部１１７に供給される。復調部１１７は、かかる受信データを復調し、伝送路推定部１１８および伝送路歪補償部１１９に出力する。本実施形態における復調部１１７は、伝送パラメータ設定部１２２によって設定された復調方式にしたがった復調処理を行う。本実施形態では、受信したデータの送信元における変調方式が変更される場合があり（詳細は後述する）、復調部１１７は、伝送パラメータ設定部１２２によって設定された現在の変調方式に対応した復調方式による復調処理を行う。
【００３０】
伝送路推定部１１８は、復調部１１７から供給される受信データ中に含まれるパイロットシンボル（既知データ）を抽出し、抽出したパイロットシンボルを用いて伝送路推定を行う。周知のとおりパイロットシンボルによる伝送路推定では、既知データであるパイロットシンボル（複数シンボル分）の位置を受信側で特定することでフェージング変動量（位相回転量）を求め、パイロットシンボル間のデータにおけるフェージング変動をこれら２つのパイロットシンボルによって特定した変動から推定するといった手順で行われる。
【００３１】
本実施形態で伝送されるデータでは、フレームフォーマットが変更される、つまりパイロットシンボルの挿入周期やシンボル数が変更される場合があり（詳細は後述する）、伝送路推定部１１８は、伝送パラメータ設定部１２２によって設定通知されたパイロットシンボルの挿入位置に関する情報（フレームフォーマット構成などの情報）に基づいてパイロットシンボルが挿入されている位置を特定して抽出する。なお、本実施形態では、所定の周期で挿入されるパイロットシンボルの複数シンボル分を同相平均することでパイロットシンボル信号のＳ／Ｎを向上させ、推定精度を向上させている。
【００３２】
伝送路歪補償部１１９は、伝送路推定部１１８によって推定されるフェージング変動に基づいて伝送路の歪を補償する。
【００３３】
チャネル復号化部１２０は、伝送路歪補償部１１９から出力される受信データに対しチャネル復号処理を行い、復号したデータを並直列変換部１２１に出力する。本実施形態では、受信したデータの送信元におけるチャネル符号化方式が変更される場合があり（詳細は後述する）、チャネル復号化部１２０は、伝送パラメータ設定部１２２によって設定された現在のチャネル符号化方式に対応した復号化方式式による復号化処理を行う。
【００３４】
並直列変換部１２１は、各送受信処理ブロック１０１のチャネル復号化部１２０の各々から出力されるデータのまとまりを、１つのデータにまとめ、まとめたデータを出力する。
【００３５】
伝送パラメータ設定部１２２は、並直列変換部１２１によってまとめられたデータ、つまり通信相手である基地局２００から送信されたデータに含まれる伝送パラメータ通知情報を取得し、かかる伝送パラメータ情報にしたがって各サブキャリアに対応する送受信処理ブロック１０１のチャネル符号化部１１２、フレーム作成部１２４、変調部１１３、復調部１１７、伝送路推定部１１８およびチャネル復号化部１２０といった各部の処理すべき内容等を送受信処理ブロック１０１ごとに個別に設定する。つまり、伝送パラメータ設定部１２２は、それぞれの送受信処理ブロック１０１に対して異なる設定をなすことができる。
【００３６】
より具体的には、伝送パラメータ設定部１２２は、チャネル符号化部１１２にはどのよう内容の符号化処理を行うべきかを設定し、フレーム作成部１２４にはどのようなフォーマットのフレームを作成すべきか、つまりパイロットシンボルの挿入位置に関する情報を設定通知する。また、変調部１１３には当該変調部１１３が行うべき変調方式を設定し、復調部１１７には当該復調部１１７が行うべき復調方式を設定する。さらに、伝送路推定部１１８に対しては、受信データのフレームフォーマット、つまりパイロットシンボルの挿入位置情報を設定通知し、チャネル復号化部１２０には当該チャネル復号化部１２０が行うべき復号化方式を設定する。
【００３７】
受信状況取得通知部１２３は、当該携帯電話１００の通信部におけるデータの受信状況を取得し、取得した受信状況を通信相手である基地局２００に通知するため当該受信状況情報を送信データに含める。これにより当該受信状況情報を含むデータが直並列変換部１１０、送受信処理ブロック１０１、キャリア合成部１１４を経てアンテナ共用器１１５から基地局２００に向けて送信される。
【００３８】
本実施形態における受信状況取得通知部１２３は、以下のような情報を受信状況として取得して基地局２００に通知している。まず、受信状況取得通知部１２３は、アンテナ共用器１１５によって受信された受信電力と周波数との関係（図３参照）を取得し、各サブキャリアごとにその中心周波数における受信電力値を受信状況として取得する。図３に示すような受信電力と周波数の関係が得られた場合、サブキャリア＃１については受信電力値がｐ１、サブキャリア＃２については受信電力がｐ２であるといった情報が受信状況として取得される。
【００３９】
また、受信状況取得通知部１２３は、受信波がフェージングにより受けた位相変動量である位相回転量を受信状況として取得する。すなわち、予め決められた一定区間（数フレーム分の区間など）における位相回転量を求め、これを受信状況として取得する。かかる位相回転量は、伝送路推定部１１８がパイロットシンボルを用いて位相変動を推定する際に、一定区間におけるフェージングによる位相回転量を測定することで取得することができる。
【００４０】
また、受信状況取得通知部１２３は、チャネル復号化部１２０によって実行される誤り検出処理の結果、どの程度誤りが存在したかという誤り率を受信状況として取得する。すなわち、チャネル復号化部１２０では、符号化データ中に含まれるブロック符号を用い、誤り検出を行い、誤りがある場合には誤り訂正を行って誤り訂正後のデータを出力するようになっている。このような復号化処理の中の誤り検出処理によって検出された誤りがあった確率である誤り率を求め、これを受信状況として取得する。例えば、１０００フレーム中１０個のフレームにおいて誤りが検出された場合には誤り率は１％となる。なお、このように誤り率を受信状況として取得するようにしてもよいが、誤り状況がわかる情報であればよく、例えば一定個数のフレームの中で誤りがあったフレームの個数自体を受信状況として取得するようにしてもよい。
【００４１】
以上が携帯電話１００の通信部の構成であり、携帯電話１００は通信部のほか、表示部、入力部、マイクロホン、スピーカ、メモリ、制御部等を有しているが、これらの構成は通常の携帯電話と同様であるため、その説明を省略する。
【００４２】
Ａ−２．基地局
次に、図２を参照しながら上記携帯電話１００と無線通信を行う基地局２００の構成について説明する。同図に示すように、基地局２００の通信部の構成は基本的には携帯電話１００と同様であり、直並列変換部１１０と、サブキャリアに対応して設けられる送受信処理ブロック１０１と、キャリア合成部１１４と、アンテナ共用器１１５と、分配器１１６と、並直列変換部１２１とを備えている。
【００４３】
基地局２００は、以上のような携帯電話１００と同様の構成要素に加え、伝送パラメータ決定設定部２０１を備えている点で携帯電話１００と相違する。
【００４４】
伝送パラメータ決定設定部２０１は、所定のタイミング（通信開始前や通信中など）に携帯電話１００に対してテストデータを送信し、携帯電話１００から送信されるテストデータの受信状況を示す情報に基づいて、各送受信処理ブロック１０１ごとに設定すべき伝送パラメータ（符号化方式と復号化方式、フレームフォーマット、変調方式と復調方式）を決定し、決定したパラメータを設定する。
【００４５】
より具体的には、伝送パラメータ決定設定部２０１は、図４に示す手順にしたがって、携帯電話１００から送信される受信状況を示す情報の中に含まれているサブキャリアごとの受信電力に基づいて変調方式（復調方式）を決定する。
【００４６】
同図に示すように、まず受信状況情報が取得された場合、その中からサブキャリア（＃１〜＃ｎ）ごとの受信電力値ｐ１〜ｐｎを取得する（ステップＳａ１）。そして、予め設定されている複数種類の変調（復調）方式と受信電力値の範囲との関係から、各サブキャリアごとの変調（復調）方式を決定する（ステップＳａ２）。
【００４７】
例えば、図５に示すような変調方式と電力値との関係が設定されている場合において図示のような受信電力値が得られたときには、サブキャリア＃１の受信電力値は電力値Ｍ２以上の範囲に属するので、その範囲に対応つけられている変調方式である１６ＱＡＭが選択される。また、サブキャリア＃２の受信電力値は電力値Ｍ１〜Ｍ２の範囲に属するので８ＰＳＫが選択される。また、サブキャリア＃ｎの受信電力値は電力値Ｍ０〜Ｍ１の範囲に属するのでＱＰＳＫが選択される。なお、受信電力値がＭ０以下の場合には通信を行わないよう設定される。受信電力値がＭ１以下という著しく低い場合には変調方式等の伝送パラメータ設定を変更したところで正常な通信を行うことができないからである。
【００４８】
また、上記の受信電力値と変調方式との関係設定は、受信電力値が大きい場合により伝送レートの大きい変調方式が採用されるようなものとなっている。このような設定としたのは、受信電力値が大きい場合には高速通信を行っても通信品質を維持することができる可能性が高く、受信電力値が小さい場合に伝送レートが高いままであると通信品質を維持することができなくなる可能性が高いからである。
【００４９】
以上のように各サブキャリアごとに変調（復調）方式を決定すると、設定状態記憶部２０２に記憶されている通信相手の携帯電話の現在の各サブキャリアに設定されている方式と変更があるサブキャリアが存在するか否かを判別する（ステップＳａ３）。図６に示すように、設定状態記憶部２０２には、当該基地局２００と無線通信が可能なエリア内に存在するすべての携帯電話の識別情報ごとに、各サブキャリアについてのその時点の変調（復調）方式、フレームフォーマットおよび符号化（復号化）方式のパターンといった伝送用のパラメータの状態が記憶されている。
【００５０】
伝送パラメータ決定設定部２０１は、このような情報が記憶されている設定状態記憶部２０２を参照し、設定に変更があるか否かを判別するのである。この判別の結果、設定変更がない場合には変調方式決定処理を終了する。一方、決定された変調（復調）方式と現時点で設定されている変調（復調）方式とが異なるサブキャリアが存在する場合には、そのサブキャリアについての設定状態記憶部２０２の設定内容を更新するとともに、新たに決定された変調方式を当該サブキャリアに対応する送受信処理ブロック１０１の変調部１１３に設定する（ステップＳａ４）。例えば、図５に示すような受信状況が得られた場合において、サブキャリア＃２の変調方式が１６ＱＡＭから８ＰＳＫに変更になった場合、変更後の変調方式である８ＰＳＫがサブキャリア＃２に対応する送受信処理ブロック１０１の変調部１１３に設定され、当該変調部１１３によって８ＰＳＫ変調が行われる。
【００５１】
また、伝送パラメータ決定設定部２０１は、以上のように変調方式を変更した場合、変更内容を含むデータを制御チャネルに含めて携帯電話１００に送信することで当該変更内容（どのサブキャリアの変調方式を何に変更したか）を示す伝送パラメータ通知情報を携帯電話１００に送信することで、パラメータ変更内容を通知する（ステップＳａ５）。このような通知を行うことで、受信装置である携帯電話１００の伝送パラメータ設定部１２２によって、変調方式が変更されたサブキャリアに対応する送受信処理ブロック１０１の復調部１１７の設定が変更される。これにより受信装置である携帯電話１００において、変調方式変更後に基地局２００から送信されるデータを復調することができる。
【００５２】
次に、伝送パラメータ決定設定部２０１によるフレームフォーマット決定手順について図７を参照しながら説明する。同図に示すように、まず受信状況情報が取得された場合、その中からのサブキャリアごとの一定区間の位相回転量Ｒを取得する（ステップＳｂ１）。そして、各サブキャリアごとに、予め用意されている複数種類のフレームフォーマットの中からいずれか１つのフレームフォーマットを選択決定する（ステップＳｂ２）。
【００５３】
本実施形態では、図８に示すように、フレームフォーマットＦ１とフレームフォーマットＦ２といった２種類のフォーマットが用意されている。同図に示すように、フレームフォーマットＦ１とフレームフォーマットＦ２はパイロットシンボルの挿入周期が相違しており、フレームフォーマットＦ２の方が挿入周期が短くなっている。なお、３種類以上のフレームフォーマットを用意するようにしてもよく、この場合、各フレームフォーマットの挿入周期のみならず、挿入するパイロットシンボル数も異ならせるようにしてもよい。
【００５４】
そして、２種類のフレームフォーマットの選択決定は図９に示す手順で行われる。すなわち、まず１つのサブキャリアについて取得された位相回転量Ｒが予め設定されているしきい値Ｒｔｈよりも大きいか否かを判断する（ステップＳｃ１）。そして、位相回転量Ｒがしきい値Ｒｔｈよりも大きい場合には、挿入周期の短いフレームフォーマットＦ２を選択し（ステップＳｃ２）、位相回転量Ｒがしきい値Ｒｔｈよりも小さい場合には、挿入周期の長いフレームフォーマットＦ１を選択する（ステップＳｃ３）。
【００５５】
この後、すべてのサブキャリアについてフレームフォーマットを選択したか否かを判別し（ステップＳｃ４）、すべてのサブキャリアについての選択を終了している場合には当該処理を終了する。一方、フレームフォーマットを選択していないサブキャリアがある場合にはそれらのサブキャリアの各々についてステップＳｃ１以降の処理を行ってすべてのサブキャリアについてフレームフォーマットを選択する。
【００５６】
以上のように本実施形態では、位相回転量Ｒが大きい場合にはパイロットシンボルの挿入周期の短いフレームフォーマットＦ２を採用し、位相回転量Ｒが小さい場合にはパイロットシンボルの挿入周期の長いフレームフォーマットＦ１を採用するようにし、これにより伝送路推定精度と伝送レートとを極力高いレベルで維持することを可能としている。
【００５７】
以上のような効果が得られる理由を図１０および図１１を参照しながら説明する。ここで、図１０はフェージングによる位相変動が比較的遅い場合の複素平面（Ｉ、Ｑ軸）でみた受信信号の位相を示し、図１１はフェージングによる位相変動が比較的早い場合の受信信号の位相を示している。
【００５８】
図１０と図１１に示されるように、位相変動の速度の大小にかかわらず、本来のパイロットシンボルの位置（送信側での位置）と、受信側で実際に受信されたパイロットシンボルの位置（パイロットシンボルを同相平均することにより求めた位置）とが時間の経過とともに離れていくこと、つまり時間の経過とともに位相回転量が多くなることがわかる。しかしながら位相変動が早い場合には、その離間具合が大きくなり、かかる場合には位相変動が遅い場合と比較してパイロットシンボルと離れた位置にあるデータシンボルの位相変動の推定精度が悪化してしまうおそれが高い。
【００５９】
すなわち、位相変動が早い場合にはパイロットシンボルから離れた位置にあるデータシンボルについての伝送路補償が困難となってしまう。したがって、位相変動が早い場合には上記のようにパイロットシンボルの挿入周期の短いフレームフォーマットＦ２を採用することでパイロットシンボルと、これと最も遠い位置にあるデータシンボルとの間の距離を短くすることで推定精度の悪化を抑制しているのである。
【００６０】
一方、位相変動速度が比較的遅い場合にはパイロットシンボルと、これと最も遠い位置にあるデータシンボルとの間の距離を比較的大きくした場合であっても推定精度の悪化の程度は少ない。そこで、かかる場合にはパイロットシンボルの挿入周期の長いフレームフォーマットＦ１を採用することで、伝送レートを向上させるようにしている。
【００６１】
図７に戻り、以上のように各サブキャリアごとにフレームフォーマットを決定すると、設定状態記憶部２０２に記憶されている通信相手の携帯電話の現在の各サブキャリアに設定されているフレームフォーマットと変更があるサブキャリアが存在するか否かを判別する（ステップＳｂ３）。
【００６２】
この判別の結果、設定変更がない場合にはフレームフォーマット決定処理を終了する。一方、決定されたフレームフォーマットと現時点で設定されているフレームフォーマットとが異なるサブキャリアが存在する場合には、そのサブキャリアについての設定状態記憶部２０２の設定内容を更新するとともに、新たに決定されたフレームフォーマットを当該サブキャリアに対応する送受信処理ブロック１０１のフレーム作成部１２４に設定する（ステップＳｂ４）。
【００６３】
また、伝送パラメータ決定設定部２０１は、以上のようにフレームフォーマットを変更した場合、変更内容を含むデータを制御チャネルに含めて携帯電話１００に送信することで当該変更内容（どのサブキャリアのフレームフォーマットを何に変更したか）を携帯電話１００に通知する（ステップＳｂ５）。このような通知を行うことで、受信装置である携帯電話１００の伝送パラメータ設定部１２２によって、フレームフォーマットが変更されたサブキャリアに対応する送受信処理ブロック１０１の伝送路推定部１１８の設定が変更される。これにより受信装置である携帯電話１００において、フレームフォーマット変更後に基地局２００から送信されるデータのパイロットシンボル挿入位置を特定することができ、パイロットシンボルを用いた伝送路推定が可能となる。
【００６４】
次に、伝送パラメータ決定設定部２０１によるチャネル符号化（復号化）方式の決定手順について図１２を参照しながら説明する。同図に示すように、まず受信状況情報が取得された場合、その中からサブキャリアごとの誤り率Ｐを取得する（ステップＳｄ１）。そして、各サブキャリアごとに、予め用意されている複数種類のチャネル符号化（復号化）パターンの中で現在設定されているパターンと変更すべきか否か、変更する場合どれに変更すべきかといった変更内容を決定する（ステップＳｄ２）。
【００６５】
本実施形態では、図１３に示すように、Ｃ１〜Ｃ４といった４つの符号化（復号化）パターンが用意されている。同図に示すように、パターンＣ１は、畳み込み符号（Ｒ＝１／３）、ブロック符号、インタリーブ、パターンＣ２は畳み込み符号（Ｒ＝１／２）、ブロック符号、インタリーブといったように、パターンＣ１からパターンＣ４にいくにつれて誤り訂正強度が低下するようなパターン設定となっている。なお、５種類以上のチャネル符号化パターンを用意するようにしてもよいし、３種類以下の符号化パターンを用意するようにしてもよい。また、上記のような畳み込み符号のみならず、他の符号化方式、例えばターボ符号などを符号化パターンに含ませるようにしてもよい。
【００６６】
そして、各サブキャリアごとの変更内容決定は図１４に示す手順で行われる。すなわち、まず１つのサブキャリアについて取得された誤り率Ｐが予め設定されている基準値Ｐｔｈと同じであるか否かを判断する（ステップＳｅ１）。なお、基準値Ｐｔｈは、基地局２００の送信電力およびその時点で採用されている変調方式に応じて決められた値である。したがって、伝送パラメータ決定設定部２０１は、設定状態記憶部２０２を参照し、その時点で当該サブキャリアについて設定されている変調方式を特定し、予め複数種類の変調方式の各々に対応して用意されている基準値の中から特定した変調方式に対応する基準値を選択する。また、基準値Ｐｔｈと同じである否かを厳密に判断するようにしてもよいが、多少の誤差（例えば、基準値が１％である場合には±０．１％の範囲内など）は同一であると判別するようにしてもよい。
【００６７】
そして、誤り率Ｐが基準値Ｐｔｈと同じである場合には、現在設定されている符号化パターンを変動させる必要がないので現状維持とすることを決定し（ステップＳｅ２）、当該処理を終了する。一方、誤り率Ｐと基準値Ｐｔｈとが異なる場合には、誤り率Ｐが基準値Ｐｔｈよりも大きいか否かを判別する（ステップＳｅ３）。
【００６８】
誤り率Ｐが基準値Ｐｔｈよりも大きい場合には、現在設定されている符号化パターンよりも誤り訂正強度が１つ大きいパターンに変更することを決定する（ステップＳｅ４）。一方、誤り率Ｐが基準値Ｐｔｈよりも小さい場合には、現在設定されている符号化パターンよりも誤り訂正強度が１つ小さいパターンに変更することを決定する（ステップＳｅ４）。
【００６９】
つまり、誤り率Ｐが大きい場合には誤り率が減少するように誤り訂正強度が大きい符号化パターンを採用するようにし、誤り率が小さい場合には伝送レートを向上させるために誤り訂正強度が小さい符号化パターンを採用するようにするのである。そして、このように誤り率に応じて符号化パターンを変更することで、伝送レートと品質の両者を極力高いレベルで維持することができるのである。
【００７０】
以上のように各サブキャリアごとに符号化パターンの変更内容、変更の有無を決定すると、変更を要するサブキャリアが存在するか否かを判別する（ステップＳｄ３）。
【００７１】
この判別の結果、設定変更がない場合には符号化パターン決定処理を終了する。一方、変更があるサブキャリアがある場合には、その変更内容に応じて符号化パターンをそのサブキャリアに対応する送受信処理ブロック１０１のチャネル符号化部１１２に設定する（ステップＳｄ４）。例えば、あるサブキャリアについて誤り訂正強度を１つ上げたパターンに設定すべきことが決定されている場合において、そのサブキャリアについて現在設定されている符号化パターンがパターンＣ２であったときには符号化パターンをＣ１に変更設定する。逆に誤り訂正強度を１つ下げたパターンに設定すべきことが決定されている場合においては、符号化パターンをＣ２からＣ３に変更する。
【００７２】
また、伝送パラメータ決定設定部２０１は、以上のように符号化パターンを変更した場合、変更内容を含むデータを制御チャネルに含めて携帯電話１００に送信することで当該変更内容（どのサブキャリアの符号化パターンを何に変更したか）を携帯電話１００に通知する（ステップＳａ５）。このような通知を行うことで、受信装置である携帯電話１００の伝送パラメータ設定部１２２によって、符号化パターンが変更されたサブキャリアに対応する送受信処理ブロック１０１のチャネル復号化部１２０の設定が変更される。これにより受信装置である携帯電話１００において、符号化パターン変更後に基地局２００から送信されるデータを復号することができる。
【００７３】
以上が基地局２００の通信部の構成である。なお、基地局２００は、自己が担当するエリア内に存在する携帯電話からの通信要求（発呼など）等を受けた場合、その携帯電話における受信状況を取得し、取得した受信状況に基づいて上記のように伝送パラメータ決定設定処理を行う。
【００７４】
Ｂ．通信方法
次に、上記構成の携帯電話１００と基地局２００との間でデータ通信を行う方法、つまり両者の間で通信を行う際の携帯電話１００と基地局２００の動作について図１５を参照しながら説明する。なお、携帯電話１００と基地局２００が通信を行う場合とは、携帯電話１００が移動通信網を介して他の携帯電話や固定電話等との間でデータ通信を行うために、その携帯電話１００が存在するエリアを担当する基地局２００と通信するときである。
【００７５】
同図に示すように、携帯電話１００が発呼等の通信要求をなすと（ステップＳｆ１）、基地局２００はテストデータを当該携帯電話１００に送信する（ステップＳｆ２）。ここで、送信するテストデータに対して行われる符号化処理の方式、フレームフォーマット、変調方式などは任意であるが、本実施形態では、符号化パターンＣ１、フレームフォーマットＦ２、変調方式ＱＰＳＫを各部に設定して送信するようにしている。つまり、テストデータ送信時には伝送レートよりも品質維持を重視した符号化パターン等の伝送パラメータを採用するようにしている。
【００７６】
基地局２００からのテストデータを受信した携帯電話１００では、受信状況取得通知部１２３がそのテストデータの受信状況（サブキャリアごとの受信電力、誤り率、位相回転量）を取得し、これを基地局２００に送信する（ステップＳｆ３）。
【００７７】
携帯電話１００から送信される受信状況を受け取った基地局２００では、伝送パラメータ決定設定部が各サブキャリアごとの変調方式、フレームフォーマットおよび符号化パターンといった伝送パラメータを決定する（ステップＳｆ４）。そして、基地局２００は、決定した伝送パラメータと現時点で設定されている伝送パラメータとが相違する場合には、決定したパラメータとなるように設定を変更するとともに、変更した伝送パラメータを携帯電話１００に通知する（ステップＳｆ５）。
【００７８】
基地局２００から伝送パラメータが通知されると、携帯電話１００の伝送パラメータ設定部１２２は、その通知内容にしたがって送受信処理ブロック１０１の各部の設定を行う（ステップＳｆ６）。例えば、基地局２００において、あるサブキャリアで伝送するデータの変調方式がＱＰＳＫから１６ＱＡＭに変更された場合には、携帯電話１００における当該サブキャリアに対応する送受信処理ブロック１０１の復調部１１７が１６ＱＡＭの変調データを復調できるように設定し、基地局２００において、あるサブキャリアの符号化パターンが変更された場合には、携帯電話１００における当該サブキャリアに対応する送受信処理ブロック１０１のチャネル復号化部１２０が当該符号化データを復号できるよう設定するといった具合である。
【００７９】
以上のような設定が完了すると、携帯電話１００は実データ（例えば音声データなど）の送信を開始する（ステップＳｆ７）。通信中において携帯電話１００は、所定のタイミング（一定時間ごとなど）が到来したか否かを判別し（ステップＳｆ８）、そして、実データの通信中に所定タイミングが到来した場合には、受信状況取得通知部１２３がその時点での各サブキャリアごとの誤り率を取得し、これを基地局２００に送信する（ステップＳｆ９）。
【００８０】
実データ通信中に誤り率を受け取った基地局２００は、その誤り率に基づいて各サブキャリアごとの符号化パターンを決定する（ステップＳｆ１０）。そして、基地局２００は、いずれかのサブキャリアについて符号化パターンの変更があった場合には変更設定をなすとともに、その変更した符号化パターンを携帯電話１００に通知する（ステップＳｆ１１）。
【００８１】
基地局２００から伝送パラメータが通知されると、携帯電話１００の伝送パラメータ設定部１２２は、その通知内容にしたがって送受信処理ブロック１０１のチャネル復号化部１２０の設定を行う（ステップＳｆ１２）。このように実データの通信中の一定タイミングで当該実データの受信状況に基づいて伝送パラメータ決定を行うことで、データ通信中に通信状況等が変化した場合であっても、変化した状況に対して適切な伝送パラメータ設定を行うことができる。
【００８２】
そして、通信が終了したか否かが判別され（ステップＳｆ１３）、終了していない場合にはステップＳｆ８に戻り、通話終了ボタン等が操作される等、通信が終了した場合には当該処理を終了する。
【００８３】
以上説明したように本実施形態では、携帯電話１００および基地局２００が、各サブキャリアに対応した送受信処理ブロック１０１を有しており、各送受信処理ブロック１０１ごとに符号化方式（復号化方式）、フレームフォーマット、変調方式（復調方式）といった伝送パラメータを個別に設定できるようになっている。したがって、通信品質や通信速度を緻密かつ積極的に管理することができ、受信状況等など種々の条件を考慮して各伝送パラメータをサブキャリアごとに適切なものに設定することができる。
【００８４】
また、本実施形態では、受信状況に応じて変調方式をサブキャリアごとに変動させることで受信状況に応じた伝送レートに設定しており、受信状況が悪化した場合には低伝送レートの変調方式を採用することで品質維持を図るようにしている。これに加えて本実施形態では、変調方式を変更させて低伝送レート化することによる品質維持とともに、受信状況が悪化した場合に誤り訂正強度を向上させて積極的に品質維持・向上を図ることができる。また、フレームフォーマットを変動させることで伝送路補償精度を積極的に維持・向上させるといったことが可能となる。以上のように本実施形態では、状況に応じてきめ細かい伝送パラメータ設定が可能であり、かつ積極的に受信不良等を抑制するといった設定も可能であるので、不要に伝送レートを下げることなく、より確実に品質を維持することが可能となり、品質と伝送レートとを高いレベルでバランスさせた通信を行うことができる。
【００８５】
また、本実施形態では、サブキャリアごとに設定を個別に設定できるのみならず、１つのサブキャリアについて変調方式は受信側装置の受信電力、符号化方式は実際の誤り状況、フレームフォーマットは実際の位相回転量といったようにそれぞれのパラメータを設定するために適切な受信状況を取得し、その受信状況に基づいてそれぞれのパラメータを設定することができる。したがって、その時の携帯電話１００と基地局２００の受信状況に応じた積極的かつ緻密な伝送パラメータ設定が可能となり、高品質かつ高伝送レートが極力維持されるような伝送パラメータ設定を行うことができる。
【００８６】
Ｃ．変形例
なお、本発明は、上述した実施形態に限定されるものではなく、以下に例示するような種々の変形が可能である。
【００８７】
（変形例１）
上述した実施形態では、受信側装置である携帯電話１００の受信電力に基づいて変調方式（復調方式）を、誤り検出処理で得られた誤り状況に基づいてチャネル符号化方式を、位相回転量に基づいてフレームフォーマットをそれぞれ個別に決定するようにしていたが、受信状況に応じて予め決められた伝送パラメータパターンの中から１つの伝送パラメータパターンを選択して設定するようにしてもよい。
【００８８】
例えば、図１６に示すように、基地局２００の伝送パラメータ決定設定部２０１は、予め設定可能な変調方式（復調方式）、フレームフォーマットおよび符号化パターンの組み合わせである伝送パラメータパターンＰ１〜Ｐ９と通信を禁止することを意味するパターンＰ０を記憶しておく。図示の例では、Ｐ１、Ｐ２、Ｐ３‥‥Ｐ９といった順序で伝送レートが大きくなるようなパターンが用意されている。また、変調方式はＰ１〜Ｐ４がＱＰＳＫ、Ｐ５〜Ｐ７が８ＰＳＫ、Ｐ８およびＰ９が１６ＱＡＭとなっており、それぞれの変調方式ごとにＰ４、Ｐ３、Ｐ２、Ｐ１といった順序、Ｐ７、Ｐ６、Ｐ５といった順序、Ｐ９、Ｐ８といった順序でそれぞれ誤り訂正強度が大きくなるようなパターンが用意されている。
【００８９】
そして、基地局２００の伝送パラメータ決定設定部２０１は、携帯電話１００から通知される携帯電話１００の受信状況に基づいて、サブキャリアごとに予め用意された伝送パラメータパターンＰ０〜Ｐ９いずれか１つのパターンを選択し、その伝送パラメータパターンに示される変調方式、フレームフォーマットおよび符号化方式にしたがって送受信処理ブロック１０１の各部の設定を行うとともに、その選択したパターン（またはそのパターンの内容）を携帯電話１００に通知する。
【００９０】
受信状況から伝送パラメータパターンを選択する手法としては、例えば次のような手法がある。すなわち、図１７に示すような予め決められた受信電力値と選択すべき伝送パラメータパターンとの関係に基づいて、伝送パラメータ決定設定部２０１がサブキャリアのごとの受信電力に対応する伝送パラメータパターンを選択する。なお、著しく受信電力値が小さいサブキャリアについては、伝送パラメータをどのように設定したところで伝送品質の維持は困難であるので、悪い状況下で通信が行われてしまうことを防止するため、受信電力が著しく小さいサブキャリアについては通信が行われないようにするパターンＰ０が選択される。
【００９１】
以上のように、変調方式、フレームフォーマットおよび符号化方式の組み合わせである伝送パラメータパターンを複数用意しておき、受信電力などの受信状況に応じてサブキャリアごとに１つの伝送パラメータパターンを選択することで、伝送パラメータの決定処理が簡易となり、処理の迅速化が可能となる。基地局２００は、エリア内の存在する多数の携帯電話１００との間で通信を行わなくてはならない状況下に置かれることもあり、上記のようにパラメータ決定処理を簡易化できることのメリットは大きいといえる。
【００９２】
（変形例２）
また、上述した実施形態では、携帯電話１００における基地局２００から送信されるデータの受信状況を取得し、当該受信状況を携帯電話１００から基地局２００に通知し、基地局２００において伝送パラメータの決定がなされるようになっていたが、携帯電話１００が自ら取得した自己の受信状況に基づいて自ら伝送パラメータを決定し、決定したパラメータを基地局２００に通知するようにしてもよい。
【００９３】
すなわち、携帯電話１００の伝送パラメータ設定部１２２に代えて、上記基地局２００の伝送パラメータ決定設定部２０１と同様の機能を実現する伝送パラメータ決定設定部を設け、携帯電話１００の伝送パラメータ決定設定部が自己の受信状況に基づいてサブキャリアごとの各パラメータを決定設定する。そして、携帯電話１００が決定した伝送パラメータを基地局２００に通知する。これを受けた基地局２００では携帯電話１００から通知された通知内容にしたがって伝送パラメータを送受信処理ブロック１０１の各部に設定するようにする。
【００９４】
このように受信側である携帯電話１００において送信側である基地局２００のデータ送信のための伝送パラメータを決定することで、両者間における伝送パラメータ設定のためのデータ通信量を減少させることができる。すなわち、上記実施形態では、携帯電話１００から基地局２００に受信状況を通知し、基地局２００から携帯電話１００に決定された伝送パラメータを通知するといったやり取りが行われていたが、当該変形例のようにすることで携帯電話１００において伝送パラメータを決定し、これを基地局２００に通知することで足り、基地局２００から携帯電話１００へのパラメータの通知という過程を省略することができる。
【００９５】
（変形例３）
また、上述した実施形態では、受信状況に応じて伝送パラメータを設定するようにしていたが、送信先の携帯電話１００ごとに選択可能な伝送パラメータの範囲を異ならせ、選択可能な範囲において受信状況等に応じた伝送パラメータ設定を行うようにしてもよい。例えば、基地局２００を設置する通信事業者から携帯電話１００の各ユーザが受けるサービスの内容に応じて伝送パラメータの選択範囲を異ならせるようにしてもよい。
【００９６】
より具体的に例示すると、高品質・高伝送レートサービス（利用料金が高価である）を受けるユーザの携帯電話１００に対しては、上記図１６に示したＰ０〜Ｐ９のすべての伝送パラメータパターンの中から受信状況などに応じて適切なパターンが選択されようにする一方で、安価な料金で利用できるサービスを受けるユーザの携帯電話１００に対しては、伝送パラメータパターンＰ５〜Ｐ７の中からのみ選択されるようにするといったように伝送パラメータパターンの選択できる範囲を異ならせる。
【００９７】
このように携帯電話（またはそのユーザ）ごとに伝送パラメータの選択範囲を異ならせる場合には、基地局２００または通信事業者が設置するサーバ等において、各ユーザ（携帯電話）ごとにサービス内容（または伝送パラメータの選択可能範囲）を示す情報を記憶させておき、かかる記憶内容を参照することで伝送パラメータ決定設定部２０１が選択範囲内において好適な伝送パラメータパターン（または変調方式、フレームフォーマット、符号化方式といった個別のパラメータ）を選択するようにすればよい。
【００９８】
（変形例４）
また、上述した実施形態では、受信電力値に基づいて変調方式を、誤り状況に基づいて符号化方式を、位相回転量に基づいてフレームフォーマットをそれぞれ決定するようにしていたが、変調方式の決定に際して受信電力のみならず誤り状況も合わせて考慮するといったように１種類の伝送パラメータを決定する際に複数種類の受信状況を考慮するようにしてもよい。
【００９９】
例えば、伝送パラメータ決定設定部２０１において符号化パターンを決定する際に（図１４参照）、最も誤り訂正強度が大きいパターンＣ１が設定されているにもかかわらず、検出された誤り率が大きいためさらに誤り訂正強度を向上させるべきといった判断がなされた場合（ステップＳｅ４）、かかる誤り率の悪化に対応すべく変調方式を現在設定されている方式よりも伝送レートの小さい方式（例えば、１６ＱＡＭ→８ＰＳＫ）に変更するといった具合である。
【０１００】
このように各パラメータ設定の際に、それぞれのパラメータ設定に適切な受信状況に基づいた設定を行うことを原則としつつ、ある１つのパラメータの設定に際して他の種類の受信状況もあわせて考慮することで、より緻密なパラメータ設定を行うことができる。
【０１０１】
（変形例５）
また、上述した実施形態では、携帯電話１００における基地局２００からのデータの受信状況を取得し、当該受信状況を基地局２００に通知し、基地局２００において基地局２００の送信用構成および携帯電話１００の受信用構成に設定すべき伝送パラメータの決定がなされるようになっていたが、基地局２００における携帯電話１００から送信されるデータの受信状況に基づいて、携帯電話１００の送信用構成に設定すべき伝送パラメータと基地局２００の受信用構成に設定すべき伝送パラメータとを決定し、各部に設定するようにしてもよい。
【０１０２】
（変形例７）
また、上述した実施形態では、携帯電話１００および基地局２００は、変調方式（復調方式）、フレームフォーマットおよび符号化方式（復号化方式）といった複数のパラメータをサブキャリアごとに設定できるようになっていたが、受信状況に応じて符号化方式のみをサブキャリアごとに個別設定できる構成であってもよし、受信状況に応じてフレームフォーマットのみをサブキャリアごとに個別に設定できる構成であってもよい。また、変調方式と符号化方式、変調方式とフレームフォーマット、および符号化方式とフレームフォーマットといった２種類のパラメータを受信状況に応じて設定できる構成であってもよい。
【０１０３】
（変形例８）
また、上述した実施形態では、基地局２００の伝送パラメータ決定設定部２０１が、通信相手（受信側）である携帯電話１００で実際に取得された受信状況を取得し、当該受信状況に基づいて送信のための伝送パラメータを決定するようにしていたが、携帯電話１００から送信されるデータの基地局２００における受信状況から、伝送パラメータ決定設定部２０１が通信相手先装置である携帯電話１００の受信状況を推定して取得し、取得した推定受信状況に基づいて伝送パラメータを決定するようにしてもよい。
【０１０４】
例えば、携帯電話１００と基地局２００との間でデータ通信をしている場合、双方の装置におけるある程度の時間における平均受信電力値は近似した値となると考えられ、自己装置における平均受信電力をそのまま、もしくは補正係数を乗算する等補正して相手側装置の平均受信電力として推定することができる。これは、ある程度の時間の受信電力の平均値は、他の要素と比較して距離減衰による変動による影響によって大きく左右される値となるので、両者間の距離は同一である以上、自らの装置における平均受信電力値が相手側における平均受信電力値と近似したものとなるからである。
【０１０５】
このように送信先である相手側装置の受信状況を、当該相手側装置から送信されるデータの自己装置の受信状況に基づいて推定取得し、推定した受信状況に基づいて伝送パラメータを決定するようにしてもよい。
【０１０６】
（変形例９）
また、上述した実施形態では、携帯電話１００と基地局２００との間のマルチキャリア無線通信に本発明を適用した場合について説明したが、携帯電話１００と基地局２００といった通信装置間にかぎらずマルチキャリア無線通信行う装置間の通信方法、およびマルチキャリア無線通信を行う通信装置に本発明を適用することができる。
【０１０７】
【発明の効果】
以上説明したように、本発明によれば、通信品質や伝送レートの緻密な管理が可能となり、種々の状況に応じて好適な品質や伝送速度が維持されるような設定をなすことができる。
【図面の簡単な説明】
【図１】本発明の一実施形態にかかる通信方法を実施するための携帯電話の通信部の構成を示すブロック図である。
【図２】本発明の一実施形態にかかる通信方法を実施するための基地局の通信部の構成を示すブロック図である。
【図３】前記基地局からのデータを受信した前記携帯電話におけるサブキャリアごとの受信電力値の一例を示す図である。
【図４】前記基地局の伝送パラメータ決定設定部によって行われるサブキャリアごとの変調方式決定処理の手順を示すフローチャートである。
【図５】前記変調方式決定処理において選択される変調方式と前記サブキャリアの受信電力値の範囲との関係を示す図である。
【図６】前記基地局の設定状態記憶部の記憶内容を説明するための図である。
【図７】前記伝送パラメータ決定設定部によって行われるサブキャリアごとのフレームフォーマット決定処理の手順を示すフローチャートである。
【図８】前記フレームフォーマット決定処理において選択決定可能な２種類のフレームフォーマットを示す図である。
【図９】前記フレームフォーマット決定処理においてサブキャリアごとに具体的にフレームフォーマットを決定するための処理の手順を示すフローチャートである。
【図１０】前記フレームフォーマット決定処理によって決定されたフレームフォーマットデータを送信することで得られる効果を説明するための図であって、フェージングによる位相変動が比較的遅い場合の本来のパイロットシンボル位置（送信側の位置）と受信側の位置と時間との関係を示す図である。
【図１１】前記フレームフォーマット決定処理によって決定されたフレームフォーマットデータを送信することで得られる効果を説明するための図であって、フェージングによる位相変動が比較的早い場合の本来のパイロットシンボル位置（送信側の位置）と受信側の位置と時間との関係を示す図である。
【図１２】前記伝送パラメータ決定設定部によって行われるサブキャリアごとの符号化パターン決定処理の手順を示すフローチャートである。
【図１３】前記符号化パターン決定処理において選択決定可能な４種類の符号化パターンの内容を示す図である。
【図１４】前記符号化パターン決定処理においてサブキャリアごとに具体的に符号化パターンを決定するための処理の手順を示すフローチャートである。
【図１５】本発明の一実施形態にかかる通信方法を実施した場合の前記携帯電話と前記基地局の動作を示すシーケンスフローチャートである。
【図１６】前記実施形態にかかる基地局の伝送パラメータ決定設定部の変形例による伝送パラメータ決定に用いられる伝送パラメータパターンの内容を示す図である。
【図１７】前記変形例における伝送パラメータ決定の際に、選択される伝送パラメータパターンと前記サブキャリアの受信電力値の範囲との関係を示す図である。
【符号の説明】
１００  携帯電話
１０１  送受信処理ブロック
１１０  直並列変換部
１１２  チャネル符号化部
１１３  変調部
１１４  キャリア合成部
１１５  アンテナ共用器
１１６  分配器
１１７  復調部
１１８  伝送路推定部
１１９  伝送路歪補償部
１２０  チャネル復号化部
１２１  並直列変換部
１２２  伝送パラメータ設定部
１２３  受信状況取得通知部
１２４  フレーム作成部
２００  基地局
２０１  伝送パラメータ決定設定部
２０２  設定状態記憶部
【図１】
2005020076.tif 000003
【図２】
2005020076.tif 000004
【図３】
2005020076.tif 000005
【図４】
2005020076.tif 000006
【図５】
2005020076.tif 000007
【図６】
2005020076.tif 000008
【図７】
2005020076.tif 000009
【図８】
2005020076.tif 000010
【図９】
2005020076.tif 000011
【図１０】
2005020076.tif 000012
【図１１】
2005020076.tif 000013
【図１２】
2005020076.tif 000014
【図１３】
2005020076.tif 000015
【図１４】
2005020076.tif 000016
【図１５】
2005020076.tif 000017
【図１６】
2005020076.tif 000018
【図１７】
2005020076.tif 000019